(57)【要約】【課題】警報装置の意匠性を向上させることを目的とする。【解決手段】  設置対象物である天井９００に取り付けられる取付面１１を有する感知器１００であって、感知器１００の収容対象を収容する本体部３１と、取付面１１とは反対側から本体部３１の少なくとも一部を覆っている透光部３２と、を備え、また、気体に含まれている検出対象である煙を検出するための検出空間４であって、本体部３１の収容対象として収容されている検出空間４、を備え、透光部３２は、本体部３１の外部の気体を本体部３１の検出空間４に誘導する誘導部材であり、また、本体部３１の外部の虫が検出空間４に侵入するのを防止するための防虫網６、を備え、透光部３２は、本体部３１に対して防虫網６を固定する固定部材である。【選択図】図４
2019016266.tif 000002
【特許請求の範囲】
【請求項１】
設置対象物に取り付けられる取付面を有する警報装置であって、
前記警報装置の構成要素を収容する収容手段と、
前記取付面側とは反対側から前記収容手段の少なくとも一部を覆っている透光手段と、
を備える警報装置。
【請求項２】
気体に含まれている検出対象を検出するための検出手段であって、前記収容手段に前記構成要素として収容されている前記検出手段、を備え、
前記透光手段は、前記収容手段の外部の気体を前記検出手段に誘導する誘導部材である、
請求項１に記載の警報装置。
【請求項３】
前記収容手段の外部の虫が前記検出手段に侵入するのを防止するための防虫手段、を備え、
前記透光手段は、前記収容手段に対して前記防虫手段を固定する固定部材である、
請求項２に記載の警報装置。
【請求項４】
光を発光する発光手段、を備え、
前記透光手段は、前記発光手段が発光した光を拡散させる拡散部材である、
請求項１から３の何れか一項に記載の警報装置。
【請求項５】
前記警報装置の周囲の物理量を測定する測定手段、を備え、
前記透光手段は、前記測定手段を支持する支持部材である、
請求項１から４の何れか一項に記載の警報装置。
【請求項６】
前記警報装置は、煙、熱、又は一酸化炭素を感知する感知器又は警報器である、
請求項１から５の何れか一項に記載の警報装置。
【発明の詳細な説明】
【技術分野】
【０００１】
本発明は、警報装置に関する。
【背景技術】
【０００２】
従来、煙が流入するチャンバと、当該チャンバを収容する筐体とを備える火災感知器が知られていた（例えば、特許文献１参照）。この火災感知器は、例えば、天井に取り付けられており、チャンバに流入した煙を検出することにより、火災を判定していた。
【先行技術文献】
【特許文献】
【０００３】
【特許文献１】特開２０１１−２４８５４７号公報
【発明の概要】
【発明が解決しようとする課題】
【０００４】
しかしながら、従来の火災感知器においては、筐体に対して、少なくとも、火災感知器の各種部品（例えば、チャンバ等）を全て筐体内部に収容する機能と、筐体の外部の煙をチャンバに誘導する機能とを持たせる必要があったので、例えば、部品の収容性及び煙の流入特性を考慮して筐体を設計した結果、筐体の厚さ（つまり、火災感知器が取り付けられている天井に対して直交する鉛直方向の筐体の厚さ）が比較的分厚くなっていた。従って、火災感知器を取り付けることにより、当該火災感知器を取り付けた領域の美観を損なってしまう可能性があった。
【０００５】
本発明は上記問題に鑑みてなされたもので、警報装置の意匠性を向上させることを目的とする。
【課題を解決するための手段】
【０００６】
上述した課題を解決し、目的を達成するために、請求項１に記載の警報装置は、設置対象物に取り付けられる取付面を有する警報装置であって、前記警報装置の構成要素を収容する収容手段と、前記取付面側とは反対側から前記収容手段の少なくとも一部を覆っている透光手段と、を備える。
【０００７】
また、請求項２に記載の警報装置は、請求項１に記載の警報装置において、気体に含まれている検出対象を検出するための検出手段であって、前記収容手段に前記構成要素として収容されている前記検出手段、を備え、前記透光手段は、前記収容手段の外部の気体を前記検出手段に誘導する誘導部材である。
【０００８】
また、請求項３に記載の警報装置は、請求項２に記載の警報装置において、前記収容手段の外部の虫が前記検出手段に侵入するのを防止するための防虫手段、を備え、前記透光手段は、前記収容手段に対して前記防虫手段を固定する固定部材である。
【０００９】
また、請求項４に記載の警報装置は、請求項１から３の何れか一項に記載の警報装置において、光を発光する発光手段、を備え、前記透光手段は、前記発光手段が発光した光を拡散させる拡散部材である。
【００１０】
また、請求項５に記載の警報装置は、請求項１から４の何れか一項に記載の警報装置において、前記警報装置の周囲の物理量を測定する測定手段、を備え、前記透光手段は、前記測定手段を支持する支持部材である。
【００１１】
また、請求項６に記載の警報装置は、請求項１から５の何れか一項に記載の警報装置において、前記警報装置は、煙、熱、又は一酸化炭素を感知する感知器又は警報器である。
【発明の効果】
【００１２】
請求項１に記載の警報装置によれば、取付面側とは反対側から収容手段の少なくとも一部を覆っている透光手段を備えることにより、例えば、警報装置を視認したユーザに対する透光手段の見え方を利用して、警報装置の少なくとも厚さに関して、当該警報装置の実際の厚さよりも薄い印象を与えることができるので、警報装置について薄型でスマートな印象を与えることができ、当該警報装置の意匠性を向上させることができる。
【００１３】
また、請求項２に記載の警報装置によれば、透光手段が、気体を誘導する誘導部材であることにより、例えば、検出手段への気体の流入を促進することができるので、適切なタイミングに迅速に警報（例えば、火災発生に関する警報）を行うことができる。特に、例えば、誘導部材自体が透光性となっているので、誘導部材自体の視認性をシンプルにすることができ、警報装置についてシンプルでスマートな印象を与えることができる。
【００１４】
また、請求項３に記載の警報装置によれば、透光手段が、防虫手段を固定する固定部材であることにより、例えば、防虫手段を固定するための専用部品（例えば、防虫手段を係止するための係止具等）を設けることが不要となるので、警報装置の部品点数を減らすことができ、警報装置の製造コストを低減することができる。
【００１５】
また、請求項４に記載の警報装置によれば、透光手段が、発光手段が発光した光を拡散させる拡散部材であることにより、例えば、発光手段が発光した光を、あらゆる方向から確認することができるので、発光手段の光についての視認性を向上させることができる。特に、例えば、警報装置が火災発生を判定したときに発光手段が光を発光するように構成されている場合には、発光手段の光をユーザに対して確実に視認させて、当該ユーザに対して火災発生を確実に報知することができる。
【００１６】
また、請求項５に記載の警報装置によれば、透光手段が、測定手段を支持する支持部材であることにより、例えば、測定手段を支持するための専用部品（例えば測定手段を係止支持するための係止支持具等）を設けることが不要となるので、警報装置の部品点数を減らすことができ、警報装置の製造コストを低減することができる。
【００１７】
また、請求項６に記載の警報装置によれば、警報装置は、煙、熱、又は一酸化炭素を感知する感知器又は警報器であることにより、感知器又は警報器を視認したユーザに対する透光手段の見え方を利用して、感知器又は警報器の少なくとも厚さに関して、当該感知器又は警報器の実際の厚さよりも薄い印象を与えることができるので、感知器又は警報器について薄型でスマートな印象を与えることができ、当該感知器又は警報器の意匠性を向上させることができる。
【図面の簡単な説明】
【００１８】
【図１】本実施の形態に係る感知器の斜視図である。
【図２】感知器の底面図である。
【図３】感知器の側面図である。
【図４】図２のＡ―Ａ矢視断面図である。
【図５】図４において気流を例示した図である。
【図６】変形例の感知器の断面図である。
【発明を実施するための形態】
【００１９】
以下に、本発明に係る警報装置の実施の形態を図面に基づいて詳細に説明する。なお、この実施の形態によりこの発明が限定されるものではない。
【００２０】
〔実施の形態の基本的概念〕
まずは、実施の形態の基本的概念について説明する。実施の形態は、概略的に、警報装置に関するものである。
【００２１】
ここで、「警報装置」とは、警報を行う装置であり、具体的には、設置対象物に取り付けられる取付面を有するものであり、例えば、収容手段と、透光手段とを備えるものであって、一例としては、感知器又は光警報器等を含む概念である。「感知器」とは、監視領域の異常を判定する機器であり、具体的には、監視領域の検出対象を検出することにより、火災、ガス漏れ等の異常を判定する機器である。この「感知器」は、例えば、煙感知器、熱感知器、火災感知器、及びガス漏れ感知器等を含む概念である。また、「監視領域」とは、感知器による監視の対象となっている領域であり、具体的には、一定の広がりを持った空間であって、屋内あるいは屋外の空間であって、例えば、建物の廊下、階段、又は部屋等の空間を含む概念である。また、「光警報器」とは、光を発光して警報を行うものであり、例えば、フラッシュ光を発光するもの等を含む概念である。
【００２２】
また、「設置対象物」とは、警報装置が取り付けられる対象となる物であり、例えば、天井、又は壁等を含む概念である。また、「取付面」とは、感知器に設けられている面であって、具体的には、設置対象物と対向した状態で当該設置対象物に取り付けられる面である。また、「検出対象」とは、感知器による検出の対象であり、具体的には、監視領域の異常に関連するものであり、例えば、煙、熱、炎、及び一酸化炭素等の有毒ガス等を含む概念である。
【００２３】
また、「収容手段」とは、警報装置の構成要素を収容するものであり、例えば、警報装置の外観の少なくとも一部を形成するものである。なお、「構成要素」とは、警報装置を構成する要素であり、例えば、少なくとも検出手段を含む概念である。また、「検出手段」とは、気体に含まれている検出対象を検出するための手段であって、収容手段に収容されているものであり、例えば、検出対象が流入する検出空間を含む概念である。
【００２４】
また、「透光手段」とは、取付面側とは反対側から収容手段の少なくとも一部を覆っているものであり、具体的には、警報装置のための様々な機能を発揮する部材であり、例えば、収容手段の外部の気体を検出手段に誘導する誘導部材、収容手段に対して防虫手段を固定する固定部材、光を発光する発光手段が発光した光を拡散させる拡散部材、警報用の部材、ユーザ（例えば、警備員や消防隊員等）に対して感知器の発報を判別させる判別部材、あるいは、測定手段を支持する支持部材等を含む概念である。なお、「防虫手段」とは、収容手段の外部の虫が検出手段に侵入するのを防止するためものであり、例えば、防虫網等を含む概念である。また、「測定手段」とは、警報装置の周囲の物理量を測定するものであり、具体的には、監視領域の異常に関連するものの物理量を測定するものであり、例えば、熱量、あるいは、温度を測定するものであって、一例としては、サーミスタ等を含む概念である。
【００２５】
そして、以下に示す実施の形態では、「警報装置」が火災感知器であり、「検出対象」が煙（具体的には、煙の粒子）である場合において、「透光手段」が誘導部材、判別部材及び拡散部材として機能する場合について説明し、「透光手段」が固定部材として機能する場合、及び「透光手段」が支持部材として機能する場合については後述する。
【００２６】
（構成）
まず、本実施の形態に係る感知器の構成について説明する。図１は、本実施の形態に係る感知器の斜視図であり、図２は、感知器の底面図であり、図３は、感知器の側面図であり、図４は、図２のＡ―Ａ矢視断面図である。なお、説明の便宜上、図１及び図２については、図４の拡散部３２３が省略されている。また、説明の便宜上、図３及び図４については、図１のリブ３３が省略されており、また、不図示の防災受信機からの電力の供給をうけるための電源線、及び、当該防災受信機に対して火災を報知するための信号である火災信号を送信するための通信線が省略されている（後述の図５及び図６も同様とする）。また、以下の説明では、図２〜図４に示すＸ―Ｙ―Ｚ方向が互いに直交する方向であり、具体的には、Ｚ方向が鉛直方向であって、Ｘ方向及びＹ方向が鉛直方向に対して直交する水平方向であるものとして、例えば、Ｚ方向を高さ方向、あるいは、取付面１１と略直交する方向と称し、＋Ｚ方向を上側（平面、あるいは、筐体３における取付面１１側）と称し、−Ｚ方向を下側（底面、あるいは、筐体３における取付面１１の反対側）と称して説明する（後述の図５及び図６も同様とする）。また、以下の「Ｘ―Ｙ―Ｚ方向」に関する用語については、図示の感知器１００において、各構成品の相対的な位置関係（又は、方向）等を説明するための便宜的な表現であることとし、図４の検出空間４の中心位置を基準として、ＸＹ平面に沿って検出空間４から離れる方向を「外側又は端側」と称し、検出空間４に近づく方向を「内側又は中央側」と称して、以下説明する。
【００２７】
これら各図に示す感知器１００は、警報装置であり、監視領域の煙を検出することにより、火災を判定する機器であり、具体的には、図４に示すように、設置対象物である監視領域の天井９００に取り付けて用いられるものであり、例えば、取付ベース１、裏板２、筐体３、検出空間４、支持部５、防虫網６、及び回路部７を備える。
【００２８】
（構成−取付ベース）
取付ベース１は、天井９００に対して、裏板２及び筐体３を取り付けるための取付手段である。この取付ベース１の具体的な種類や構成は任意であるが、例えば、天井９００と対向する面である取付面１１を備えているものであって、裏板２と天井９００との間において、裏板２及び天井９００に対して公知の固定手段（例えば、ねじあるいは嵌合構造等）によって固定されているものである。
【００２９】
（構成−裏板）
裏板２は、煙を含む気体（以下、単に「気体」）を誘導する誘導手段であり、例えば、筐体３との間に外部流出側流路Ｆ１を形成するものである。ここで、「外部流出側流路」Ｆ１とは、気体を誘導する誘導手段であり、具体的には、検出空間４の気体を感知器１００の外部に流出させるための流路である。この裏板２の具体的な種類や構成は任意であるが、例えば、筐体３と同径の円盤形状を呈しているものであり、スペーサ２１を挟んで筐体３に対して公知の固定手段（例えば、ねじあるいは接着剤等）によって固定されており、また、取付ベース１に対して公知の固定手段（例えば、ねじあるいは嵌合構造等）によって固定されているものである。
【００３０】
（構成−筐体）
筐体３は、感知器１００の外形を形成するものである。筐体３の具体的な種類や構成は任意であるが、例えば、本体部３１、透光部３２、及び図１のリブ３３を備えているものである。
【００３１】
（構成−筐体−本体部）
図４の本体部３１は、検出空間４、支持部５、防虫網６、及び回路部７（以下、「検出空間４、支持部５、防虫網６、及び回路部７」が構成要素に対応し、これらを「収容対象」とも称する）を収容する収容手段であり、例えば、全体としては、円盤形状であり外側の全面が白色となっているものであり、詳細には、高さ方向（Ｚ方向）における上側（＋Ｚ方向）に設けられている円筒状部分であって裏板２と同径の円筒状部分と、この円筒状部分から下側（−Ｚ方向）に向かうにつれて小径となっているテーパ状部分とによって形成されているものである。また、本体部３１は、筐体側流入開口３１１、筐体側流出開口３１２、及び傾斜面３１３を備えているものである。筐体側流入開口３１１は、気体を誘導する誘導手段であり、具体的には、感知器１００の外部の気体を検出空間４に流入させるためのものであり、例えば、本体部３１の下側（−Ｚ方向）の面の、ＸＹ平面に平行な方向における中心から外側にずれた位置に設けられているものである。筐体側流出開口３１２は、検出空間４の気体を誘導する誘導手段であり、検出空間４の気体を感知器１００の外部に流出させるためのものであり、例えば、本体部３１の上側（−Ｚ方向）の面の、ＸＹ平面に平行な方向における中心から外側にずれた位置に設けられているものである。傾斜面３１３は、気体を誘導する誘導手段であり、具体的には、感知器１００の外部の気体を検出空間４に流入させるためのものであり、例えば、本体部３１のテーパ状部分に設けられているものである。
【００３２】
（構成−筐体−透光部）
透光部３２は、透光手段であって、取付面１１側とは反対側から本体部３１の少なくとも一部を覆っている部材であり、例えば、前述の誘導部材、判別部材及び拡散部材として機能するものである。透光部３２の具体的な種類や構成は任意であるが、例えば、本体部３１における円筒状部分より小径であり、且つ、当該本体部３１のテーパ状部分における下側（−Ｚ方向）の端部よりも僅かに大径となっている円盤形状を呈しているものであり、また、感知器１００を視認したユーザに対して透光部３２自体の厚みを感じさせないように全体が透明となっているものであり、また、図１のリブ３３を介して本体部３１に固定されているものである。また、この透光部３２は、例えば、対向面３２１、導光部３２２、及び拡散部３２３を備えているものである。なお、図４の拡散部３２３については、説明の便宜上、設けられている位置を示しているのみであり、当該拡散部３２３の詳細の形状等については図示を省略している（後述の図６も同様とする）。
【００３３】
（構成−筐体−透光部−対向面）
対向面３２１は、透光部３２を誘導部材として機能させるためのものであり、具体的には、気体を誘導する誘導手段である。より具体的には、感知器１００の外部の気体を検出空間４に流入させるためのものであって、例えば、透光部３２における本体部３１と対向している面であって、本体部３１との間に流入側流路Ｆ２を形成するものであり、ＸＹ平面に平行な方向において透光部３２の端側から中央側に向かうにつれて、上側（＋Ｚ方向）に向かって隆起しているものである。対向面３２１の隆起している形状について詳細には、気体を本体部３１の筐体側流入開口３１１に向かって誘導し、且つ、当該筐体側流入開口３１１に近づくにつれて気体の流速が増加するように、対向面３２１における筐体側流入開口３１１と対向する位置に近付くにつれて、鉛直方向（Ｚ方向）における本体部３１との間の距離が短くなるように隆起している。ここで、「流入側流路」Ｆ２とは、気体を誘導する誘導手段であり、具体的には、感知器１００の外部の気体を検出空間４に流入させるための流路である。
【００３４】
（構成−筐体−透光部−導光部及び拡散部）
導光部３２２及び拡散部３２３は、透光部３２を判別部材及び拡散部材として機能させるためのものであり、具体的には、後述の警報側発光部７４が発光した光を拡散するものである。
【００３５】
まず、導光部３２２の具体的な種類や構成は任意であるが、例えば、ライトガイドであって、光ファイバ等を用いて形成されるライトガイドを用いて構成されたものである。詳細には、導光部３２２は、ＸＹ平面に平行な方向において透光部３２の中心付近から上側（＋Ｚ方向）に向かって伸びており、且つ、本体部３１における下側（−Ｚ方向）の面を貫通して当該本体部３１の内部における警報側発光部７４まで伸びているものである。このように、導光部３２２が警報側発光部７４まで伸びていることより、警報側発光部７４からの光が透光部３２へ確実に導かれることになる。
【００３６】
また、拡散部３２３の具体的な種類や構成は任意であるが、例えば、光拡散溝であって、光を屈折又は反射するための光拡散溝等を用いて構成されたものである。詳細には、拡散部３２３は、透光部３２における下側（−Ｚ方向）の面における、ＸＹ平面に平行な方向において透光部３２の中心付近に設けられているものである。このように、拡散部３２３が設けられていることにより、導光部３２２を介して導かれた光は、拡散部３２３にて少なくとも一部が反射されることにより、透光部３２の内部全体に拡散されることになり、また、当該光は、拡散部３２３にて少なくとも一部が屈折されることにより、透光部３２の外部の広い範囲に拡散されることになる。
【００３７】
（構成−筐体−リブ）
図１のリブ３３は、筐体３全体の強度を補強する補強手段であり、また、透光部３２を本体部３１に固定する固定手段であり、また、気体を誘導する誘導手段であり、誘導手段としては具体的には、感知器１００の外部の気体を検出空間４に流入させるためのものである。リブ３３は、筐体側流入開口３１１を基準に放射状に設けられている平板形状を呈しているものであり、複数設けられているものである。また、リブ３３は、本体部３１に対して公知の固定手段（例えば、接着剤等）によって固定されているものであり、また、透光部３２が取り付けられるものである。なお、リブ３３に対する透光部３２の取り付けについては、所定の係合手段（例えば、嵌合孔と嵌合突起の組み合わせ等）を用いて着脱可能に取り付けられるように構成される場合、あるいは、当該所定の嵌合手段と共に、又は、当該所定の嵌合手段に加えて、公知の固定手段（例えば、接着剤等）を用いて着脱不可能に取り付けられるように構成される場合があげられるが、ここでは、例えば、着脱可能に取り付けられるように構成されているものとする。また、このリブ３３については、透光部３２が透明である理由と同様の理由から、全体が透明となっているものである。
【００３８】
（構成−検出空間）
図４の検出空間４は、検出手段であり、気体が流入する空間である。検出空間４の具体的な種類や構成は任意であるが、例えば、取付面１１に沿う方向（ＸＹ平面に平行な方向）において、本体部３１の中心から外側にずれた位置に設けられている空間であり、本体部３１の一部、後述する素子支持部５２、及び後述する回路基板７１によって取り囲まれている空間である。このように、検出空間４が、本体部３１の中心から外側にずれた位置に設けられていることにより、例えば、本体部３１の内部における部品の実装スペースを一か所にまとめることができるので、比較的広い実装スペースを確保することが可能となる。
【００３９】
（構成−支持部）
支持部５は、回路部７を支持する支持手段である。支持部５の具体的な種類や構成は任意であるが、例えば、基板支持部５１、及び素子支持部５２を備えているものである。
【００４０】
（構成−支持部−基板支持部）
基板支持部５１は、筐体３に対して後述する回路基板７１を支持する支持手段であり、また、気体を誘導する誘導手段であり、誘導手段としては具体的には、内部流出側流路Ｆ３を形成するものである。ここで、「内部流出側流路」Ｆ３とは、気体を誘導する誘導手段であり、具体的には、検出空間４の気体を感知器１００の外部に流出させるための流路である。この基板支持部５１は、例えば、後述する基板側流出開口７１１よりも大径である内径を有する円筒形状を呈しているものであり、本体部３１の上側（＋Ｚ方向）の面と後述する回路基板７１との間において、本体部３１の上側（＋Ｚ方向）の面及び回路基板７１に対して公知の固定手段（例えば、ねじあるいは接着剤等）によって固定されているものである。
【００４１】
（構成−支持部−素子支持部）
素子支持部５２は、筐体３に対して後述する検出側発光部７２及び検出側受光部７３を支持する支持手段であり、また、検出空間４を区画する区画手段であり、また、気体を誘導する誘導手段である。この素子支持部５２は、例えば、筐体側流入開口３１１及び後述する基板側流出開口７１１よりも大径である内径を有する円筒形状を呈しているものであり検出側発光部７２及び検出側受光部７３が装着されているものであって、本体部３１の下側（−Ｚ方向）の面と後述する回路基板７１との間において、本体部３１の下側（−Ｚ方向）の面及び回路基板７１に対して公知の固定手段（例えば、ねじあるいは接着剤等）によって固定されているものである。
【００４２】
（構成−防虫網）
防虫網６は、防虫手段であり、検出空間４に虫が進入するのを防止する手段である。防虫網６の具体的な種類や構成は任意であるが、例えば、検出空間４の外部から内部に、防虫網６自身の小孔を介して気体が流入するのを許容する一方で、検出空間４に虫が入ることを防止するものであって、一例としては、筐体側流入開口３１１の内部に嵌め込まれて固定されているものである。防虫網６の固定について詳細には、筐体側流入開口３１１の内部に設けられていない状態の防虫網６が、筐体側流入開口３１１に比べて僅に大径となるように構成されており、当該防虫網６を僅に変形させて下側（−Ｚ方向）から上側（＋Ｚ）に向かって筐体側流入開口３１１の内部に入れて嵌るように構成されている。また、防虫網６を僅に変形させて下側（−Ｚ方向）から上側（＋Ｚ）に向かって筐体側流入開口３１１の内部に設ける場合に、防虫網６が、筐体側流入開口３１１をこえて本体部３１の内部に至ってしまうのを防止するために、静止手段としてのストッパ６１１が設けられており、このストッパ６１１によって静止されるように構成されている。
【００４３】
（構成−回路部）
回路部７は、検出対象である煙を検出することにより火災を判定するための電気回路を形成する回路手段である。回路部７の具体的な種類や構成は任意であるが、例えば、回路基板７１、検出側発光部７２、検出側受光部７３、及び警報側発光部７４を備えているものである。
【００４４】
（構成−回路部−回路基板）
回路基板７１は、感知器１００の各素子が実装される実装手段であり、例えば、全体としてＸＹ平面に沿ってひろがっており、支持部５によって支持されて固定されているものである。また、回路基板７１は、基板側流出開口７１１を備えているものである。基板側流出開口７１１は、気体を誘導する誘導手段であり、具体的には、検出空間４の気体を、内部流出側流路Ｆ３を介して感知器１００の外部に流出させるためのものであり、例えば、基板支持部５１の内径及び素子支持部５２の内径よりも小径であり、ＸＹ平面に平行な方向における回路基板７１の中心から外側にずれた位置に設けられているものである。
【００４５】
（構成−回路部−検出側発光部）
検出側発光部７２は、検出空間４に流入した煙を検出するための発光検出手段であり、具体的には、煙を検出するための光である検出光を検出空間４に向かって発光する手段である。検出側発光部７２の具体的な種類や構成は任意であるが、例えば、発光ダイオード等を備えるものである。
【００４６】
（構成−回路部−検出側受光部）
検出側受光部７３は、検出空間４に流入した煙を検出するための受光検出手段であり、具体的には、検出空間４で発生した散乱光を受光する手段である。検出側受光部７３の具体的な種類や構成は任意であるが、例えば、フォトダイオード等を備えるものである。
【００４７】
（構成−回路部−警報側発光部）
警報側発光部７４は、光を発光する発光手段であり、具体的には、所定の事象を警報するために発光する手段である。ここで、「所定の事象」とは、感知器１００に関する事象であり、例えば、火災の発生を判定したこと、あるいは、感知器１００の一部の機能に不具合があることを検出したこと等含む概念であるが、ここでは、例えば、「所定の事象」が火災の発生を判定したことであるものとして、以下説明する。警報側発光部７４の具体的な種類や構成は任意であるが、例えば、発光ダイオード等を備えるものである。
【００４８】
（感知器の外観）
次に、このように構成された、感知器１００における視認性について説明する。前述したように、図４の本体部３１の全面が白色になっており、また、透光部３２の全体が透明になっているので、感知器１００を視認したユーザに対して透光部３２の厚みを感じさせず、感知器１００全体の厚みとして本体部３１の厚み分のみを感じさせることができるので、感知器１００全体の外観として薄型でスマートな印象を与えることが可能となる。
【００４９】
（気体の誘導）
次に、このように構成された、感知器１００における気体の誘導について説明する。図５は、図４において気流を例示した図である。なお、この図５の矢印Ａｆ１は、煙を含む気体の流れる方向（つまり、気流の方向）についての、所定の実験又はシミュレーション等の結果に基づく、気流の方向を例示するものである。感知器１００は、筐体３の外部のあらゆる方向からの気体を、高さ方向（Ｚ方向）において、下側（−Ｚ方向）から検出空間４に流入させた後に、上側（＋Ｚ方向）から流出させるように誘導することができるが、ここでは、例えば、図５の矢印Ａｆ１に沿って誘導する場合について説明する。
【００５０】
監視領域で火災が発生した場合、当該火災に基づく熱気流によって、図５の感知器１００の外部の気体（煙を含む気体）は、矢印Ａｆ１が示すように、天井９００に沿って（あるいは、天井９００と平行に）感知器１００に向かって移動した後、流入側流路Ｆ２、筐体側流入開口３１１、及び防虫網６の小孔を介して、検出空間４に誘導される。詳細には、気体は、筐体３の傾斜面３１３に沿って本体部３１側から透光部３２側に誘導された後、透光部３２の対向面３２１及び図１のリブ３３に沿って、図５の検出空間４側に誘導される。この後、検出空間４に誘導された気体は、矢印Ａｆ１に示すように、基板側流出開口７１１、内部流出側流路Ｆ３、筐体側流出開口３１２、外部流出側流路Ｆ１を介して、感知器１００の外部に誘導される。
【００５１】
（火災の判定）
次に、このように構成された、感知器１００における火災の判定について説明する。感知器１００の回路基板７１の不図示の制御部（例えば、ＣＰＵ等）は、公知の手法と同様にして、火災を判定する。すなわち、当該制御部は、検出側発光部７２及び検出側受光部７３を用いて煙の濃度を検出した上で、検出した煙の濃度に基づいて火災を判定する。なお、ここでの煙の濃度の検出については、透光部３２が透明であることに起因して、検出空間４の内部に外乱光が入り込むこともあり得るので、外乱光の影響を考慮して煙の濃度を検出する公知の検出手法を用いて行ってもよい。この後、不図示の制御部は、火災発生を判定した場合に、図４の警報側発光部７４を点灯又は点滅させることにより発光させる。そして、発光された光は、導光部３２２を介して拡散部３２３に到達し、当該拡散部３２３にて散乱、反射又は屈折される。この後、散乱、反射又は屈折された光は、透光部３２の内部全体に拡散されて、透光部３２全体からあらゆる方向に出射されることになり、また、屈折された光は、拡散部３２３から外部に拡散されてあらゆる方向に出射されることになる。従って、ユーザは、監視領域のあらゆる位置から、感知器１００における警報側発光部７４からの光を視認することが可能となる。つまり、ユーザは、感知器１００が発報したことを判別することが可能となる。
【００５２】
（実施の形態の効果）
このように本実施の形態によれば、取付面１１側とは反対側から本体部３１の少なくとも一部を覆っている透光部３２を備えることにより、例えば、感知器１００を視認したユーザに対する透光部３２の見え方を利用して、感知器１００の少なくとも厚さに関して、当該感知器１００の実際の厚さよりも薄い印象を与えることができるので、感知器１００について薄型でスマートな印象を与えることができ、当該感知器１００の意匠性を向上させることができる。
【００５３】
また、透光部３２が、気体を誘導する誘導部材であることにより、例えば、検出空間４への気体の流入を促進することができるので、適切なタイミングに迅速に警報（例えば、火災発生に関する警報）を行うことができる。特に、例えば、誘導部材自体が透光性となっているので、誘導部材自体の視認性をシンプルにすることができ、感知器１００についてシンプルでスマートな印象を与えることができる。
【００５４】
また、透光部３２が、警報側発光部７４が発光した光を拡散させる拡散部材であることにより、例えば、警報側発光部７４が発光した光を、あらゆる方向から確認することができるので、警報側発光部７４の光についての視認性を向上させることができる。特に、例えば、感知器１００が火災発生を判定したときに警報側発光部７４が光を発光するように構成されている場合には、警報側発光部７４の光をユーザに対して確実に視認させて、当該ユーザに対して火災発生を確実に報知することができる。
【００５５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５６】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００５７】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００５８】
（検出空間について（その１））
また、上記実施の形態では、図４の検出空間４が、筐体側流入開口３１１を介して直接的に本体部３１の外部と通じる場合について説明したが、これに限らない。例えば、検出空間４を図４における図面左側の位置であって、鉛直方向（Ｚ方向）において筐体側流入開口３１１とは重ならない位置に設けて、筐体側流入開口３１１と検出空間４とを煙流入流路で結んでもよい。なお、この場合、本体部３１の外部から筐体側流入開口３１１及び煙流入流路を介して図４における図面左側の位置の検出空間４に流入した気体が、当該検出空間４から流出することができるように、他の要素（例えば、基板側流出開口７１１及び筐体側流出開口３１２等）についても位置を変更することとする。このように構成した場合、透光部３２が透明であることに起因して、検出空間４の内部に入り込む外乱光の光量を低減させることが可能となる。
【００５９】
（検出空間について（その２））
また、検出空間４を、ＸＹ平面に平行な方向における本体部３１の中心に設けてもよい。
【００６０】
（導光部について）
また、上記実施の形態では、図４の導光部３２２を用いて警報側発光部７４からの光を導く場合について説明したが、これに限らない。例えば、図１のリブ３３の内部に光ファイバを設けたり、当該リブ３３自体をライトガイドとして形成したりすることにより、リブ３３が導光できるように構成した上で、警報側発光部７４からの光を、リブ３３を用いて透光部３２に導くように構成してもよい。このように構成した場合、図４の導光部３２２を省略することができるので、流入側流路Ｆ２において気体をスムーズに流すことが可能となる。
【００６１】
（拡散部について）
また、上記実施の形態では、拡散部３２３を透光部３２における下側（−Ｚ方向）の面に設ける場合について説明したが、これに限らない。例えば、拡散部３２３を、鉛直方向
（Ｚ方向）における、透光部３２の中央寄りの位置に設けてもよいし、あるいは、透光部３２の上側（＋Ｚ方向）寄りの位置に設けてもよい。
【００６２】
（透光部について（その１））
また、上記実施の形態では、透光部３２の全体を透明にする場合について説明したが、これに限らない。透光部３２については、少なくとも一部が透光性を有する限りにおいて任意の色にて構成してもよい。特に、この透光部３２については、感知器１００の厚みを薄く見せるために以下のように構成してもよい。具体的には、透光部３２の全体を乳白色の如き僅に濁りがある色にて構成してもよいし、また、透光部３２の対向面３２１の表面の全体が乳白色となり、且つ、透光部３２における当該対向面３２１以外が透明となるように構成してもよい。
【００６３】
（透光部について（その２））
また、上記実施の形態では、図４の本体部３１の外側の面全体を白色にて構成する場合について説明したが、これに限らない。例えば、本体部３１についても、透光性（例えば、透明）にて構成してもよい。この場合、本体部３１に収容されている「収容対象」が視覚的に露出することになるので、当該収容対象における視覚的に露出している部分の一部又は全部が白色になるように構成してもよい。
【００６４】
（透光部について（その３））
また、上記実施の形態では、透光部３２が誘導部材及び拡散部材として機能する場合について説明したが、これに限らず、「固定部材」として機能するように構成してもよい。例えば、図４の透光部３２を、図１のリブ３３を介して本体部３１に対して着脱可能となるように構成し、且つ、本体部３１に取り付けた場合に透光部３２の上側（＋Ｚ方向）の頂点（具体的には、対向面３２１における筐体側流入開口３１１と対向している部分）が筐体側流入開口３１１の内部の防虫網６に当接するように改造してもよい。このように改造された透光部３２を、「改造透光部」と称する。このように改造した場合において、防虫網６を設ける場合、まず、本体部３１から「改造透光部」を取り外した状態で、防虫網６を筐体側流入開口３１１の内部に設け、次に、「改造透光部」を本体部３１に取り付けて、「改造透光部」を下側（−Ｚ側）から防虫網６に当接させることにより、防虫網６を固定してもよい。この場合、防虫網６は、筐体側流入開口３１１の内部において、鉛直方向（Ｚ方向）において、「改造透光部」の頂点とストッパ６１１とによって挟まれて固定されることになる。このように構成した場合、改造透光部が、防虫網６を固定する固定部材であることにより、例えば、防虫網６を固定するための専用部品（例えば、防虫網６を係止するための係止具等）を設けることが不要となるので、感知器１００の部品点数を減らすことができ、感知器１００の製造コストを低減することができる。なお、このように構成する場合、防虫網６を筐体側流入開口３１１に嵌め込む必要がないので、防虫網６が筐体側流入開口３１１よりも僅に小径となるように構成してもよい。
【００６５】
（透光部について（その４））
また、上記実施の形態では、透光部３２が誘導部材及び拡散部材として機能する場合について説明したが、これに限らず、「支持部材」として機能するように構成してもよい。図６は、変形例の感知器の断面図である。なお、図６の感知器１００Ａは、図４の感知器１００に対して検温部８１を設け、且つ、透光部３２を透光部３２Ａに変更したものである。そして、以下の説明では、図６の感知器１００Ａの構成については、図４の感知器１００の構成と異なるものについてのみ特記し、特記しないものについては、感知器１００の構成と同様であることとする。図６の透光部３２Ａの構成についても、図４の透光部３２の構成と異なるものについてのみ特記し、特記しないものについては、透光部３２の構成と同様であることとする。
【００６６】
図６の検温部８１は、測定手段であり、具体的には、温度を測定する手段である。検温部８１の具体的な種類や構成は任意であるが、例えば、サーミスタ等を備えるものであり、リード線を介して回路基板７１と電気的に接続されているものである。
【００６７】
透光部３２Ａは、透光手段であって、取付面１１側とは反対側から本体部３１の少なくとも一部を覆っている部材であり、例えば、支持部材としても機能するものである。透光部３２Ａの具体的な種類や構成は任意であるが、例えば、透光部３２Ａにおける鉛直方向（Ｚ方向）の下側（−Ｚ）の面において、検温部８１を支持して当該検温部８１が公知の固定手段（例えば、接着剤等）によって固定されているものである。この透光部３２Ａは、また、例えば、検温部カバー３２４Ａを備える。検温部カバー３２４Ａは、検温部８１を覆うカバー手段であり、例えば、検温部８１よりも、鉛直方向（Ｚ方向）の下側（−Ｚ）に設けられているものであり、カバー支持部３２４Ｂを介して透光部３２Ａに固定されているものである。
【００６８】
このように構成された感知器１００Ａは、検温部８１の測定結果を用いて、公知の手法にて火災を判定することとするが、検温部８１が透光部３２Ａの下側（−Ｚ方向）に設けられているために、監視領域の温度を直接測定することができるので、火災発生時の急激な温度変化を迅速に捉えて、火災発生を迅速に判定することが可能となる。また、検温部カバー３２４Ａによって覆われているので、感知器１００Ａの取り付け時にユーザが検温部８１に触れるのを防止することができるので、検温部８１を保護することが可能となる。
【００６９】
このように構成された場合、透光部３２Ａが、検温部８１を支持する支持部材であることにより、例えば、検温部８１を支持するための専用部品（例えば検温部８１を係止支持するための係止支持具等）を設けることが不要となるので、感知器１００Ａの部品点数を減らすことができ、感知器１００Ａの製造コストを低減することができる。
【００７０】
なお、上記の検温部８１、検温部カバー３２４Ａ、及びカバー支持部３２４Ｂの色については、任意であるが、例えば、感知器１００Ａの厚みを薄く見せるために、検温部８１（リード線を含む）、検温部カバー３２４Ａ、及びカバー支持部３２４Ｂが全て白色になるように構成したり、また、検温部８１（リード線を含む）が白色になり、且つ、検温部カバー３２４Ａ及びカバー支持部３２４Ｂが透光性（例えば、透明）になるように構成したりしてもよい。
【００７１】
（防虫網について）
また、上記実施の形態の図４において、本体部３１における筐体側流出開口３１２側にも防虫網を設けてもよい。
【００７２】
（裏板及び取付ベースについて）
また、上記実施の形態の図４の裏板２を、天井９００に直接取り付けられるよう構成した上で、取付ベース１を省略してもよい。この場合、裏板２における上側（＋Ｚ方向）の面が「取付面」に相当する。また、上記実施の形態の図４の取付ベース１を省略せずに、裏板２を省略した上で、取付ベース１を筐体３に対してスペーサ２１を挟んで固定してもよい。
【００７３】
（気流について）
また、上記実施の形態では、図５の矢印Ａｆ１に沿って、気体を筐体側流入開口３１１側から検出空間４に流入させ、当該気体を筐体側流出開口３１２側から流出させる場合について説明したがこれに限らない。例えば、気体を筐体側流入開口３１１側から検出空間４に流入させた後、当該気体を筐体側流入開口３１１側から流出させてもよい。この場合、実験又はシュミューレーション等により気体の流入及び流出特性を把握した上で、感知器１００の構成を任意に変更すること（例えば、筐体側流入開口３１１のサイズ、個数、又は位置を変更する、あるいは、検出空間４のサイズ、又は位置を変更する等）により、上述のように、気体を筐体側流入開口３１１側から流入及び流出させてもよい。
【００７４】
（気流発生手段について）
また、上記実施の形態の図４の感知器１００に、気体を、例えば図５の矢印Ａｆ１に沿って誘導するための気流を発生する、気流発生部（気流発手段）を設けてもよい。具体的には、検出空間４の内部あるいは外部に、気流発生部として、公知の圧電素子を用いたマイクロポンプ、発熱する公知の発熱素子、あるいは、吸熱する公知の吸熱素子等を設けてもよい。そして、この気流発生部については、回路基板７１の不図示の制御部（例えば、ＣＰＵ等）が、所定のプログラムに基づいて制御してもよい。
【００７５】
（感知器の取り付けについて）
また、上記実施の形態では、図４の感知器１００を監視領域の天井９００に取り付けて用いる場合について説明したが、これに限らない。例えば、感知器１００を監視領域の壁に取り付けて用いてもよい。
【００７６】
（公知の構成の適用について）
また、上記実施の形態の図４の感知器１００の各特徴（例えば、透光部３２の特徴等）の少なくとも一部を公知の感知器（例えば、検出空間への遮光のためにラビリンス等を備える感知器等）に適用してもよい。
【００７７】
（感知器への適用について）
また、上記実施の形態の図４の感知器１００の特徴を、公知の散乱光式の感知器に適用してもよいし、公知の減光式の感知器に適用してもよい。
【００７８】
（一体構成について）
また、上記実施の形態の図４の感知器１００の任意の部品を、一体的なものとして構成してもよい。例えば、基板支持部５１、素子支持部５２、及びスペーサ２１を、一体的なものとして構成してもよい。
【００７９】
（熱溶着について）
また、上記実施の形態の図４の感知器１００の任意の部品を、熱溶着して固定してもよい。例えば、素子支持部５２を、本体部３１の下側（−Ｚ方向）の面と回路基板７１との間において、これらに対して熱溶着して固定してもよい。
【００８０】
（基板側流出開口について）
また、図４の回路基板７１に対して、基板側流出開口７１１と共に、あるいは、基板側流出開口７１１の代わりに、基板側流出切欠きを設けてもよい。ここで、「基板側流出切欠き」とは、気体を誘導する誘導手段であり、具体的には、検出空間４の気体を、内部流出側流路Ｆ３を介して感知器１００の外部に流出させるためのものである。この基板側流出切欠きの形状については任意であり、不図示であるが、例えば、図４のＸＹ平面に平行な方向における、回路基板７１の縁側から中心側に向かって、Ｖ字形状又はＵ字形状等に抉って切欠くことにより形成してもよい。
【００８１】
（特徴について）
また、上記実施の形態の特徴及び変形例の特徴を任意に組合わせたり、省略したりしてもよい。例えば、図４の透光部３２において拡散部３２３を省略したり、あるいは、透光部３２を、煙の誘導を行わずに光の拡散のみを行うように改造したり、図６の透光部３２Ａが「固定部材」としても機能するように構成してもよい。
【００８２】
（付記）
付記１の警報装置は、設置対象物に取り付けられる取付面を有する警報装置であって、前記警報装置の構成要素を収容する収容手段と、前記取付面側とは反対側から前記収容手段の少なくとも一部を覆っている透光手段と、を備える。
【００８３】
付記２の警報装置は、付記１に記載の警報装置において、気体に含まれている検出対象を検出するための検出手段であって、前記収容手段に前記構成要素として収容されている前記検出手段、を備え、前記透光手段は、前記収容手段の外部の気体を前記検出手段に誘導する誘導部材である。
【００８４】
付記３の警報装置は、付記２に記載の警報装置において、前記収容手段の外部の虫が前記検出手段に侵入するのを防止するための防虫手段、を備え、前記透光手段は、前記収容手段に対して前記防虫手段を固定する固定部材である。
【００８５】
付記４の警報装置は、付記１から３の何れか一項に記載の警報装置において、光を発光する発光手段、を備え、前記透光手段は、前記発光手段が発光した光を拡散させる拡散部材である。
【００８６】
付記５の警報装置は、付記１から４の何れか一項に記載の警報装置において、前記警報装置の周囲の物理量を測定する測定手段、を備え、前記透光手段は、前記測定手段を支持する支持部材である。
【００８７】
付記６の警報装置は、付記１から５の何れか一項に記載の警報装置において、前記警報装置は、煙、熱、又は一酸化炭素を感知する感知器又は警報器である。
【００８８】
（付記の効果）
付記１に記載の警報装置によれば、取付面側とは反対側から収容手段の少なくとも一部を覆っている透光手段を備えることにより、例えば、警報装置を視認したユーザに対する透光手段の見え方を利用して、警報装置の少なくとも厚さに関して、当該警報装置の実際の厚さよりも薄い印象を与えることができるので、警報装置について薄型でスマートな印象を与えることができ、当該警報装置の意匠性を向上させることができる。
【００８９】
付記２に記載の警報装置によれば、透光手段が、気体を誘導する誘導部材であることにより、例えば、検出手段への気体の流入を促進することができるので、適切なタイミングに迅速に警報（例えば、火災発生に関する警報）を行うことができる。特に、例えば、誘導部材自体が透光性となっているので、誘導部材自体の視認性をシンプルにすることができ、警報装置についてシンプルでスマートな印象を与えることができる。
【００９０】
付記３に記載の警報装置によれば、透光手段が、防虫手段を固定する固定部材であることにより、例えば、防虫手段を固定するための専用部品（例えば、防虫手段を係止するための係止具等）を設けることが不要となるので、警報装置の部品点数を減らすことができ、警報装置の製造コストを低減することができる。
【００９１】
付記４に記載の警報装置によれば、透光手段が、発光手段が発光した光を拡散させる拡散部材であることにより、例えば、発光手段が発光した光を、あらゆる方向から確認することができるので、発光手段の光についての視認性を向上させることができる。特に、例えば、警報装置が火災発生を判定したときに発光手段が光を発光するように構成されている場合には、発光手段の光をユーザに対して確実に視認させて、当該ユーザに対して火災発生を確実に報知することができる。
【００９２】
付記５に記載の警報装置によれば、透光手段が、測定手段を支持する支持部材であることにより、例えば、測定手段を支持するための専用部品（例えば測定手段を係止支持するための係止支持具等）を設けることが不要となるので、警報装置の部品点数を減らすことができ、警報装置の製造コストを低減することができる。
【００９３】
付記６に記載の警報装置によれば、警報装置は、煙、熱、又は一酸化炭素を感知する感知器又は警報器であることにより、感知器又は警報器を視認したユーザに対する透光手段の見え方を利用して、感知器又は警報器の少なくとも厚さに関して、当該感知器又は警報器の実際の厚さよりも薄い印象を与えることができるので、感知器又は警報器について薄型でスマートな印象を与えることができ、当該感知器又は警報器の意匠性を向上させることができる。
【符号の説明】
【００９４】
１  取付ベース
２  裏板
３  筐体
４  検出空間
５  支持部
６  防虫網
７  回路部
１１  取付面
２１  スペーサ
３１  本体部
３２  透光部
３２Ａ  透光部
３３  リブ
５１  基板支持部
５２  素子支持部
７１  回路基板
７２  検出側発光部
７３  検出側受光部
７４  警報側発光部
８１  検温部
１００  感知器
１００Ａ  感知器
３１１  筐体側流入開口
３１２  筐体側流出開口
３１３  傾斜面
３２１  対向面
３２４Ａ  検温部カバー
３２２  導光部
３２３  拡散部
３２４Ｂ  カバー支持部
６１１  ストッパ
７１１  基板側流出開口
９００  天井
Ｆ１  外部流出側流路
Ｆ２  流入側流路
Ｆ３  内部流出側流路
Ａｆ１  矢印
【図１】
2019016266.tif 000003
【図２】
2019016266.tif 000004
【図３】
2019016266.tif 000005
【図４】
2019016266.tif 000006
【図５】
2019016266.tif 000007
【図６】
2019016266.tif 000008